(57)【要約】【課題】  従来の歯間糸掃除具にあっては、使用後に歯間より歯の先方へ向かって引っ張る際に、虫歯等の治療などで処置された詰物などを引っ掛けてしまう恐れがあった。【解決手段】  歯間の掃除後には張設された糸の片方を固定から解放し、歯間の根本付近の間隙より抜き取る事によって、虫歯等の治療後に処置された詰物など引っ掛けたりする事を防止出来る。【選択図】図１
2011161187.tif 000002
【特許請求の範囲】
【請求項１】
請求項１における歯間糸掃除具においては、弾性を有する掃除具の先方に位置する略Ｕ字状の先端部２箇所に設けられた糸を支持する部分のうち、前記略Ｕ字状の先方先端は糸の端部が固定された糸固定部が設けられると供に後方の支持部には同糸を張設するための溝部が設けられ、前記歯間糸掃除具の後方には前記糸が連絡すると供に該糸を張設した状態において、指で挟み持つ為の保持部が設けられて、同支持部と保持部の間には前記糸を支持部に沿って中継して同保持部へと連絡する為の糸掛部が設けられており、掃除後は前記糸固定部が歯間より内側に位置するので前記保持部に連絡する糸を放す事によって張設された糸を、口腔内方へ向けて歯間より糸を抜き取った後に、口腔外へと外す事を特徴とする抜き取り型歯間糸掃除具。
【請求項２】
請求項２の歯間糸掃除具においては、請求項１の糸を固定する為に設けられた固定部を略Ｕ字状の後方先端とし、先方の先端には同糸が掛けられると供に略Ｕ字背部に沿った線状に連続する溝部が設けられて、同固定部より溝部に沿って嵌入して連絡する糸の端部を保持部にて指で挟み持つ事によって同糸を張設し、歯間の掃除後は前記保持部に連絡する糸を放す事によって張設された糸を解放し、前記固定された糸支持部より糸を抜き取る際には、糸固定部が歯間より外側に位置する為に口腔より外方へ向けて糸を抜き取る事を特徴とする前方抜き取り型歯間糸掃除具。
【発明の詳細な説明】
【技術分野】
【０００１】  本発明は、歯間を糸にて掃除する際に用いられる歯間糸掃除具に関する。
【背景技術】
【０００２】  従来、歯間を掃除する為の糸掃除具は、弾性を有する本体の先方に設けられた略Ｕ字状の両端に固定された糸が張設されており、本体後方へ延設された保持部にて該糸掃除具を指で挟み持ち、前記における張設された糸を歯間に差し込んで掃除を行い、使用後は歯間より前記糸を歯の根本から先方に向けて引っ張って外す為に、歯間部及び先端に位置する隣接した部分を通過させる必要があった。
【発明の概要】
【発明が解決しようとする課題】
【０００３】  従来の歯間糸掃除具にあっては、使用後に歯間より糸を取り外す時には、歯の根本から歯先の方へと向かって引っ張って外す際に、歯間部及び先端方向に位置する虫歯等の治療などで処置された詰物などを引っ掛けてしまう恐れがあった。【０００４】  本発明は、上記問題点を解決するために成されたもので、歯間の掃除後には張設された糸の片方を固定から解放し、歯間の根本付近の間隙より抜き取る事によって、虫歯等の治療後に処置された詰物などの引っ掛けを無くす事を目的とした抜き取り型歯間糸掃除具を提供するものである。
【課題を解決するための手段】
【０００５】  本発明は上記目的を達成する為の歯間糸掃除において、第１の課題解決手段は弾性を有する掃除具の先方に位置する、略Ｕ字状の先端部２箇所に設けられた糸を支持する部分のうち、前記略Ｕ字状の先方先端は糸の端部が固定された糸固定部が設けられると供に後方の支持部先端には同糸を張設するための溝部が設けられ、前記歯間糸掃除具の後方には前記糸が連絡すると供に該糸を張設した状態において、指で挟み持つ為の保持部が設けられて、同支持部と保持部の間には前記糸を支持部に沿って中継して同保持部へと連絡する為の糸掛部が設けられており、掃除後は前記糸固定部が歯間より内側に位置するので前記保持部に連絡する糸を放す事によって張設された糸を、口腔内方へ向けて歯間より糸を抜き取った後に、口腔外へと外す事を特徴とする抜き取り型歯間糸掃除具。【０００６】  また、第２の課題解決手段は、前記１の解決手段における歯間糸掃除具の糸を固定する為に設けられた固定部を略Ｕ字状の後方先端とし、先方の支持部先端には同糸が掛けられると供に略Ｕ字背部に沿った線状に連続する溝部が設けられて、同固定部より溝部に沿って嵌入して連絡する糸の端部を保持部にて指で挟み持つ事によって同糸を張設し、歯間の掃除後は前記保持部に連絡する糸を放す事によって張設された糸を解放し、前記固定された糸支持部より糸を抜き取る際には、糸固定部が歯間より外側に位置する為に口腔より外方へ向けて糸を抜き取る事を特徴とする前方抜き取り型歯間糸掃除具。【０００７】  上記第１の課題解決手段による作用は次の通りである。すなわち歯間の掃除後における張設された糸の片方を固定から解放し、糸の固定部が歯間より内側に位置する為に口腔内方へ抜き取る事によって取り外す事が出来る。【０００８】  また、第２の課題解決手段による作用は、糸の固定部が歯間より外側に位置する為、糸を抜き取る際には口腔外方へと引くだけで安全に糸を抜き取る事が出来る。
【発明の効果】
【０００９】  上述したように本発明の歯間糸掃除具は、虫歯等の治療後に処置された詰物などを引っ掛けたりせず、安全に糸を抜き取る事が出来る。【００１０】  また請求項２の発明によれば、糸の固定部が歯間より外側に位置する為、糸を抜き取る際には口腔外方へ引くので、より簡単に糸を抜き取る事が出来る。
【図面の簡単な説明】
【００１１】
【図１】  発明を実施するための、最良の第１の形態に係る抜き取り型歯間糸掃除具（Ａ）において、糸固定部（１）より連絡する糸（Ｃ）が解放された状態の側面図である。
【図２】  抜き取り型歯間糸掃除具（Ａ）における、糸固定部（１）より連絡する糸（Ｃ）が溝部（２）を経由し、糸掛部（３）に掛けられて、保持部（４）に至った状態の側面図である。
【図３】  抜き取り型歯間糸掃除具（Ａ）を用いて、歯間を掃除している状態を表した図。
【図４】  抜き取り型歯間糸掃除具（Ａ）における、保持部（４）より解放された糸（Ｃ）を、歯間から抜き取る状態を表した図。
【図５】  発明を実施するための、最良の第２の形態に係る前方抜き取り型歯間糸掃除具（Ｂ）において、糸固定部（１）より連絡する糸（Ｃ）が解放された状態の側面図である。
【図６】  前方抜き取り型歯間糸掃除具（Ｂ）における、糸固定部（３）より連絡する糸（Ｃ）が、溝部（２）に掛けられると供に峰溝部（５）に嵌入して保持部（４）に連絡した状態の側面図である。
【図７】  前方抜き取り型歯間糸掃除具（Ｂ）を用いて、歯間を掃除している状態を表した図。
【図８】  前方抜き取り型歯間糸掃除具（Ｂ）における、保持部（４）より解放されて峰溝部（５）より離脱した糸（Ｃ）を、歯間から抜き取る状態を表した図。
【図９】  図９は、図６を斜前方より見た斜視図。
【図１０】  図９は、図６を前方より見た正面図。
【発明を実施するための形態】
【００１２】  以下、本発明を実施するための、第１の形態を図１〜図４に基づいて説明する。
【００１３】  図１〜図４における発明を実施するための、最良の第１の形態に係る抜き取り型歯間糸掃除具（Ａ）は弾性を有する素材で出来ており、糸固定部（１）より歯間へと挿入して掃除をするための糸（Ｃ）に連絡している。
【００１４】  図１における抜き取り型歯間糸掃除具（Ａ）は、先方に位置する略Ｕ字状の先端部２箇所のうち、先方に設けられた糸固定部（１）より片方を固定部された糸（Ｃ）が解放された状態で、もう片方の先端部には前記糸（Ｃ）を張設するための凹状をした溝部（２）が設けられている。
【００１５】  抜き取り型歯間糸掃除具（Ａ）の後方には糸（Ｃ）が連絡すると供に該糸（Ｃ）を張設した状態において、指で掴む為の保持部（４）が設けられ、溝部（２）と保持部（４）の間には前記糸（Ｃ）を中継する為の糸掛部（３）が設けられている。
【００１６】  図２においては、抜き取り型歯間糸掃除具（Ａ）は、先方に位置する略Ｕ字状の先端部２箇所のうち、先方に設けられた糸固定部（１）より片方を固定部された糸（Ｃ）が、もう片方の溝部（２）を通過して糸掛部（３）に掛けられる事によって同糸（Ｃ）が、保持部（４）へと沿って延長した該糸（Ｃ）を同保持部（４）と合わせ掴んだ状態。
【００１７】  図３は上記に記載された図２における、抜き取り型歯間糸掃除具（Ａ）の張設された糸（Ｃ）を、歯間に差入れて使用した状態。
【００１８】  図４は上記に記載された図２における、抜き取り型歯間糸掃除具（Ａ）の張設された糸（Ｃ）を解放し、歯間より口腔内方へと抜き取る状態。
【００１９】  本発明を実施する為の、最良の第２の形態を図５〜図１０に基づいて説明する。
【００２０】  図５から図１０における前方抜き取り型歯間糸掃除具（Ｂ）は、弾性を有する素材で出来ており、糸固定部（１）より歯間へと挿入して掃除をするための糸（Ｃ）に連絡している。
【００２１】  図５における前方抜き取り型歯間糸掃除具（Ｂ）は、先方に位置する略Ｕ字状の先端部２箇所のうち、後方に設けられた糸固定部（１）より片方を固定部された糸（Ｃ）が解放された状態で、もう片方の先端部には前記糸（Ｃ）を張設するための凹状をした溝部（２）と、前記溝部（２）より上方へ連続する凹状をした峰溝部（５）が設けられている。
【００２２】  図６による前方抜き取り型歯間糸掃除具（Ｂ）は、先方に位置する略Ｕ字状の先端部２箇所のうち、後方に設けられた糸固定部（１）より片方を固定部された糸（Ｃ）が、溝部（２）に掛けられると供に連続する凹状をした峰溝部（５）に嵌入して保持部（４）に連絡した状態を側面より見た透視図である。
【００２３】  図７は上記に記載された図６における、前方抜き取り型歯間糸掃除具（Ｂ）の張設された糸（Ｃ）を、歯間に差入れて使用している状態を示している。
【００２４】  図８は上記に記載された図７おける、前方抜き取り型歯間糸掃除具（Ｂ）の張設された糸（Ｃ）を解放し、歯間より抜き取る状態を示している。
【００２５】  図９は上記に記載された図６を斜前方より見た状態で、糸固定部（１）から伸びた糸（Ｃ）が溝部（２）へと張設され、峰溝部（５）を通過して保持部（４）へと連絡した状態を示している。
【００２６】  図１０は、図６を前方より見た状態で、糸（Ｃ）が凹状の溝部（２）より上部に向けて凹状の連続する峰溝部（５）へと連絡している。
【符号の説明】
【００２７】  Ａ、抜き取り型歯間糸掃除具
Ｂ、前方抜き取り型歯間糸掃除具
Ｃ、糸
１、糸固定部
２、溝部
３、糸掛部
４、保持部
５、峰溝部
【図１】
2011161187.tif 000003
【図２】
2011161187.tif 000004
【図３】
2011161187.tif 000005
【図４】
2011161187.tif 000006
【図５】
2011161187.tif 000007
【図６】
2011161187.tif 000008
【図７】
2011161187.tif 000009
【図８】
2011161187.tif 000010
【図９】
2011161187.tif 000011
【図１０】
2011161187.tif 000012